(57)【特許請求の範囲】
【請求項１】
画像情報に基づく画像を記録媒体の第１面又は第２面のそれぞれに転写する第１及び第２の画像形成部と、
前記第１又は第２の画像形成部の何れかを択一的に動作させて記録媒体に対する画像形成を行う制御部と、
記録媒体が通過する第１及び第２の部材であって、それぞれが記録媒体を主に加熱する加熱処理及び主に加圧する加圧処理を択一的に行う第１及び第２の部材と、前記第１及び第２の部材を通過する記録媒体の第１面又は第２面の何れに画像を定着させるかに応じて、前記第１及び第２の部材のそれぞれが行う処理を前記加熱処理及び前記加圧処理の一方と他方とに切り換える切換手段と、を備えた定着装置と、を備え、
前記第１及び第２の部材は、記録媒体が通過する経路を挟んで圧接する第１及び第２のローラであり、
前記第１及び第２のローラのそれぞれを昇温する第１及び第２のヒータを有し、
前記切換手段は、前記第１及び第２のローラの間を通過する記録媒体の第１面又は第２面の何れに画像を定着させるかに応じて切り換えて前記第１又は第２のヒータの何れか一方を駆動し、
前記第１及び第２の画像形成部から前記定着装置に至る間に記録媒体の搬送方向に沿って配置された単一の平板状を呈し、かつ搬送方向の中間部で揺動自在に支持された移動部材であって、記録媒体の搬送経路を、前記第１画像形成部による画像形成時には前記第１のローラ側に偏向させ、前記第２の画像形成部による画像形成時には前記第２のローラ側に偏向させる移動部材を備えたことを特徴とする画像形成装置。
【請求項２】
前記第１及び第２のローラの圧接部分が平面であることを特徴とする請求項１に記載の画像形成装置。
【請求項３】
前記第１又は第２のローラの一方が回転力の供給を受ける駆動ローラであって他方が駆動ローラの回転に従動する従動ローラであり、
前記切換手段は、前記第１及び第２のローラの間を通過する記録媒体の第１面又は第２面の何れに画像を定着させるかに応じて前記第１及び第２のローラに対する駆動ローラと従動ローラとの設定を切り換えることを特徴とする請求項１又は２に記載の画像形成装置。
【請求項４】
前記第１又は第２のローラのそれぞれの表面を清掃する第１及び第２のクリーニング部材をさらに備えたことを特徴とする請求項１乃至３の何れかに記載の画像形成装置。
【請求項５】
前記定着装置は、前記画像形成時における前記第１又は第２のヒータ消費電力が、装置の定格電力以下であることを特徴とする請求項１乃至４の何れかに記載の画像形成装置。
【請求項６】
前記定着装置は、駆動ローラとして使用される前記第１又は第２のローラに、前記第１の画像形成部による画像形成時の速度及び前記第２の画像形成部による画像形成時の速度のそれぞれに応じた回転速度を設定することを特徴とする請求項１乃至６の何れかに記載の画像形成装置。
【請求項７】
前記第１又は第２の画像形成部の少なくとも一方がカラー画像情報に基づく画像を記録媒体に転写し、
前記定着装置は、前記第１及び第２のローラのうちでカラー画像情報に基づく画像形成時に加熱処理を行うローラの表面に離形剤を塗布する塗布部材を有することを特徴とする請求項１乃至７の何れかに記載の画像形成装置。
【発明の詳細な説明】
【技術分野】
【０００１】
この発明は、電子写真方式による画像形成時に画像を用紙等の記録媒体上に定着させる定着装置、及び、この定着装置を備えた画像形成装置に関する。
【背景技術】
【０００２】
従来より、カラー画像を形成する画像形成方法として、電子写真方式とインクジェット方式とがある。電子写真方式は、現像剤を加熱及び加圧して記録媒体上に強制的に定着させるために高速化に適し、比較的安価な現像剤を使用するためにランニングコストが安価になる。反面、電子写真方式は、熱可塑性を有する樹脂粉末に顔料又は染料を混入させた現像剤を記録媒体に転写した後に加熱して定着させるため、樹脂粉末の透明度の影響や定着時の高温化による色相の変化によって色の再現性が低い。
【０００３】
この発明は、電子写真方式による画像形成時に画像を用紙等の記録媒体上に定着させる定着装置を備えた画像形成装置に関する。
【０００４】
また、記録媒体に形成されるカラー画像情報としては、フルカラー画像情報よりも、書類等の文字画像の一部に挿入される印章、イラスト及びグラフ等の単色又は複数色の部分カラー画像情報が多い。
【０００５】
そこで、従来より、画像形成方式毎の特性やカラー画像の使用状況を考慮して、電子写真方式によってモノクロ画像形成を行なう画像形成部とインクジェット方式によってカラー画像形成を行なう画像形成部とを併設した複合化画像形成装置が提案されている。（例えば、特許文献１又は２参照。）。
【特許文献１】特開平０８−１８３１７４号公報
【特許文献２】特開２００２−１９２７０８号公報
【発明の開示】
【発明が解決しようとする課題】
【０００６】
しかしながら、従来の複合化画像形成装置で単一の記録媒体上にモノクロ画像とカラー画像とを形成すると、電子写真方式で形成されたモノクロ画像とインクジェット方式で形成されたカラー画像との画質に著しい差異があり、画像の視認性に違和感を生じる。
【０００７】
このため、モノクロ画像形成処理の高速化を図りつつ、違和感のないモノクロ画像とカラー画像とが混在する違和感のない画像を形成するために、電子写真方式のモノクロ画像形成部とカラー画像形成部とを併設することも考えられる。
【０００８】
しかし、単に電子写真方式のモノクロ画像形成部とカラー画像形成部とを併設するだけでは、部品点数の増化によって装置の大型化及びコストの高騰を招く。さらに、記録媒体の搬送経路が複雑化し、ジャムの解除作業等の作業性を低下させる。
【０００９】
この発明の目的は、記録媒体が通過する第１及び第２の部材が記録媒体に対する加熱処理及び加圧処理を切り換えて実行できるようにし、２つの電子写真方式の画像形成部の定着位置を共通化して装置の小型化、部品点数の削減、搬送経路の簡略化、及び、作業性の向上を実現できる定着装置を備えた画像形成装置を提供することにある。
【課題を解決するための手段】
【００１０】
（１）画像情報に基づく画像を記録媒体の第１面又は第２面のそれぞれに転写する第１及び第２の画像形成部と、
前記第１又は第２の画像形成部の何れかを択一的に動作させて記録媒体に対する画像形成を行う制御部と、
記録媒体が通過する第１及び第２の部材であって、それぞれが記録媒体を主に加熱する加熱処理及び主に加圧する加圧処理を択一的に行う第１及び第２の部材と、前記第１及び第２の部材を通過する記録媒体の第１面又は第２面の何れに画像を定着させるかに応じて、前記第１及び第２の部材のそれぞれが行う処理を前記加熱処理及び前記加圧処理の一方と他方とに切り換える切換手段と、を備えた定着装置と、を備え、
前記第１及び第２の部材は、記録媒体が通過する経路を挟んで圧接する第１及び第２のローラであり、
前記第１及び第２のローラのそれぞれを昇温する第１及び第２のヒータを有し、
前記切換手段は、前記第１及び第２のローラの間を通過する記録媒体の第１面又は第２面の何れに画像を定着させるかに応じて切り換えて前記第１又は第２のヒータの何れか一方を駆動し、
前記第１及び第２の画像形成部から前記定着装置に至る間に記録媒体の搬送方向に沿って配置された単一の平板状を呈し、かつ搬送方向の中間部で揺動自在に支持された移動部材であって、記録媒体の搬送経路を、前記第１画像形成部による画像形成時には前記第１のローラ側に偏向させ、前記第２の画像形成部による画像形成時には前記第２のローラ側に偏向させる移動部材を備えたことを特徴とする。
【００１３】
この構成では、第１及び第２のローラが圧接して配置され、両者の間を記録媒体が通過する間に、第１及び第２のローラが記録媒体を加熱及び加圧する。第１及び第２のローラは、それそれ第１及び第２のヒータによって個別に昇温される。記録媒体の第１面に画像を定着させる場合には、第１のヒータによって昇温された第１のローラによって記録媒体を主に加熱し、第２のローラによって記録媒体を主に加圧する。記録媒体の第２面に画像を定着させる場合には、第２のヒータによって昇温された第２のローラによって記録媒体を主に加熱し、第１のローラによって記録媒体を主に加圧する。記録媒体の第１面に対する画像形成時と第２面に対する画像形成時とで、第１及び第２のローラが実行する処理を交換して単一の定着装置が共用される。
【００１４】
（２）上記（１）の構成における第１及び第２のローラの圧接部分を、平面とすることができる。
【００１５】
記録媒体は、第１及び第２のローラの平面状の圧接部分を通過して加熱及び加圧を受ける。記録媒体の第１面に対する画像形成時と第２面に対する画像形成時とで、第１及び第２のローラの間での記録媒体の通過状態が変化しない。
【００１６】
（３）上記（１）又は（２）の構成における第１又は第２のローラの一方を回転力の供給を受ける駆動ローラとするとともに他方を駆動ローラの回転に従動する従動ローラとし、切換手段が、第１及び第２のローラの間を通過する記録媒体の第１面又は第２面の何れに画像を定着させるかに応じて第１及び第２のローラに対する駆動ローラと従動ローラとの設定を切り換えるものとすることができる。
【００１７】
この構成では、記録媒体の第１面に画像を定着させる場合には、第１のローラが駆動ローラとされ、第２のローラが従動ローラとされる。記録媒体の第２面に画像を定着させる場合には、第２のローラが駆動ローラとされ、第１のローラが従動ローラとされる。記録媒体の第１面に対する画像形成時と第２面に対する画像形成時との何れでも、記録媒体に転写された画像とこの画像が転写された面に周面を接するローラとの速度差が生じないようにして単一の定着装置が共用される。
【００１８】
（４）上記（１）〜（３）の何れかの構成に、第１又は第２のローラのそれぞれの表面を清掃する第１及び第２のクリーニング部材をさらに備えることができる。
【００１９】
この構成では、第１及び第２のローラのそれぞれの表面が、個別のクリーニング部材によって清掃される。記録媒体が第１又は第２のローラの表面に付着した画像によって汚損することがない。
【００２４】
（５）前記定着装置は、前記画像形成時における前記第１又は第２のヒータ消費電力が、装置の定格電力以下であることを特徴とする。
【００２６】
（６）第１及び第２の画像形成部は、画像情報に基づく画像を互いに異なる速度で搬送される記録媒体の第１面又は第２面のそれぞれに転写する。制御部は、第１又は第２の画像形成部の何れかを択一的に動作させて記録媒体に対する画像形成を行う。定着装置は、駆動ローラとして使用される第１及び第２のローラに、第１の画像形成部による画像形成時の速度及び第２の画像形成部による画像形成時の速度のそれぞれに応じた回転速度を設定する。
【００２７】
この構成では、第１のローラが第１の画像形成部による画像形成時の速度で駆動され、第２のローラが第２の画像形成部による画像形成時の速度で駆動される。第１及び第２の画像形成部のプロセス速度が互いに異なる場合にも、第１及び第２のローラが実行する処理を交換して単一の定着装置が共用され、記録媒体の搬送経路が簡略化される。
【００３０】
（７）第１及び第２の画像形成部は、少なくとも一方がカラー画像情報に基づく画像を記録媒体に転写する。制御部は、第１又は第２の画像形成部の何れかを択一的に動作させて記録媒体に対する画像形成を行う。定着装置は、第１及び第２のローラのうちでカラー画像情報に基づく画像形成時に加熱処理を行うローラの表面に離形剤を塗布する塗布部材を有する。
【００３１】
この構成では、第１及び第２のローラのうちで少なくともカラー画像情報に基づく画像形成時に加熱処理を行うローラの表面には、離形剤が塗布される。記録媒体に転写される複数層で構成されるカラー画像がローラの表面に付着することが防止される。
【発明の効果】
【００３２】
この発明によれば、記録媒体の第１面に対する画像形成時と第２面に対する画像形成時とで、第１及び第２の部材が実行する処理を交換して単一の定着装置を共用することができる。２つの電子写真方式の画像形成部の定着位置を共通化して装置の小型化、部品点数の削減、画像形成装置の消費電力の削減、搬送経路の簡略化、及び、作業性の向上を実現できる。
【発明を実施するための最良の形態】
【００３３】
以下に、この発明の最良の実施形態に係る画像形成装置を図面を参照しつつ詳細に説明する。図１は、この発明の実施形態に係る画像形成装置１００の概略の構成を示す図である。画像形成装置１００は、スキャナ部２００、カラープロセス部（第１ノズルプレート画像形成部）３００、モノクロプロセス部（第２の画像形成部）４００、転写部５００、定着部（定着装置）６００、給紙部７００、第１排紙部８００、第２排紙部９００を含む。
【００３４】
一例として、スキャナ部２００は、画像形成装置１００の最上部に配置されている。カラープロセス部３００及びモノクロプロセス部４００は、画像形成装置１００の中間部に横方向に並べて対向して配置されている。転写部５００と定着部６００とは、カラープロセス部３００とモノクロプロセス部４００との間に配置されている。定着部６００は、転写部５００の上方に配置されている。給紙部７００は、画像形成装置１００の最下部に配置されており、種々の用紙を貯留し画像形成時に前記プロセス部に向けて記録媒体を供給する。
【００３５】
記録媒体である用紙には、例えば普通紙、再生紙、ＯＨＰシート、はがき等の厚紙、封筒等を含む。第１排紙部８００は、スキャナ部２００とカラープロセス部３００との間に配置されている。第２排紙部９００は、モノクロプロセス部４００の右側に配置されている。
【００３６】
給紙部７００から転写部５００及び定着部６００を経由して第１分岐部１３００に至る間に第１主搬送路１１００及び第２主搬送路１２００が形成されている。第１主搬送路１１００は、転写部５００のカラープロセス部３００側を通過する。第２主搬送路１２００は、転写部５００のモノクロプロセス部４００側を通過する。
【００３７】
第１分岐部１３００から第１排紙部８００に至る間に第１排紙搬送路１４００が形成されている。第１分岐部１３００から第２分岐部１５００を経由して第２排紙部９００に至る間に第２排紙搬送路１６００が形成されている。第２分岐部１５００から給紙部７００と転写部５００との間には、副搬送路１７００が形成されている。
【００３８】
第１主搬送路１１００と第２主搬送路１２００とは、転写部５００とその前後を除いて共通の経路を通過する。
【００３９】
スキャナ部２００は、第１原稿台２０１、第２原稿台２０２、第１ミラーベース２０３、第２ミラーベース２０４、レンズ２０５及びＣＣＤセンサ２０６を備えている。第１原稿台２０１及び第２原稿台２０２は、硬質ガラス体によって構成されている。第１原稿台２０１の上面には、画像を読み取るべき原稿が、手動操作により、又は、図示しない原稿自動送り装置により載置される。第２原稿台２０２の上面には、図示しない原稿自動送り装置により、画像読み取るべき原稿が通過する。
【００４０】
第１ミラーベース２０３は、ランプ２０７及び第１ミラー２０８を搭載している。第２ミラーベース２０４は、第２ミラー２０９及び第３ミラー２１０を搭載している。第１原稿台２０１の上面に載置された原稿の画像を読み取る時には、第１ミラーベース２０３及び第２ミラーベース２０４が第１原稿台２０１の下面に沿って水平方向に移動する。このとき、第２ミラーベース２０４は、第１ミラーベース２０３の速度の１／２の速度で移動する。第２原稿台２０１の上面を通過する原稿の画像を読み取る時には、第２１ミラーベース２０３は、第２原稿台２０２の下方の位置に停止している。
【００４１】
ランプ２０７は、原稿の画像面に光を照射する。ミラー２０８〜２１０は、原稿の画像面における反射光をレンズ２０５に向けて偏向する。ミラー２０５は、反射光をＣＣＤセンサ２０６の受光面に結像させる。ＣＣＤ２０６は、受光した光の光量に応じた受光信号を出力する。受光信号は、後述の制御部１１０においてディジタルデータに変換された後、所定の画像処理を施されて画像データとして格納される。
【００４２】
カラープロセス部３００は、スキャナ部２００で読み取られたカラー原稿の画像データ又は外部から入力されたカラー画像データに基づいて、カラー画像を形成する。カラープロセス部３００は、感光体ドラム３１１Ａ〜３１１Ｄ、帯電器３１２Ａ〜３１２Ｄ、露光ユニット３１３、現像器３１４Ａ〜３１４Ｄ、転写器３１５Ａ〜３１５Ｄ、クリーナ３１６Ａ〜３１６Ｄ、中間転写ベルト３１７、トナーポッパ３２１Ａ〜３２１Ｄを備えている。
【００４３】
カラープロセス部３００には、それぞれ異なる色相の画像を形成する４つのプロセスステーション３３０Ａ〜３３０Ｄが形成されている。プロセスステーション３３０Ａ〜３３０Ｄのそれぞれは、黒色、減法混色の三原色であるシアン、マゼンタ及びイエローの色相のそれぞれの画像を形成する。
【００４４】
黒色の画像を形成するプロセスステーション３３０Ａは、感光体ドラム３１１Ａ、帯電器３１２Ａ、現像器３１４Ａ、転写器３１５Ａ、クリーナ３１６Ａ、トナーポッパ３２１Ａを含む。感光体ドラム３１１Ａは、周面に感光層を備え、図１中で時計方向に回転する。帯電器３１２Ａは、感光体ドラム３１１Ａの周面を均一に帯電する。
【００４５】
露光ユニット３１３は、各色相の画像データに基づいて変調されたレーザ光により、感光体ドラム３１１Ａ〜３１１Ｄのそれぞれを露光する。帯電器３１２Ａによる帯電を受けた感光体ドラム３１１Ａの周面は、黒色の画像データに応じたレーザ光によって感光体ドラム３１１の軸方向に平行な主走査方向に露光される。レーザ光の露光により、感光体ドラム３１１Ａの周面には、黒色の画像データを応じた静電潜像が形成される。
【００４６】
現像器３１４Ａは、静電潜像が形成された感光体ドラム３１１Ａの周面に黒色のトナーを供給する。感光体ドラム３１１Ａの周面の静電潜像は、黒色のトナーによってトナー像に現像される。
【００４７】
中間転写ベルト３１７は、駆動ローラ３１８、従動ローラ３１９及びテンションローラ３２０によって張架された無端ベルトである。中間転写ベルト３１７は、駆動ローラ３１９の回転により、プロセスステーション３３０Ｄ、プロセスステーション３３０Ｃ、プロセスステーション３３０Ｂ及びプロセスステーション３３０Ａをこの順に経由して循環する。
【００４８】
プロセスステーション３３０Ａにおいて、中間転写ベルト３１７は、感光体ドラム３１１Ａと転写器３１５Ａとの間を通過する。転写器３１５Ａは、感光体ドラム３１１Ａの周面に担持された黒色のトナー像を中間転写ベルト３１７の表面に転写する。
【００４９】
クリーナ３１６Ａは、中間転写ベルト３１７に対向した後の感光体ドラム３１１Ａの周面に残留しているトナーを感光体ドラム３１１Ａの周面から除去する。
【００５０】
トナーホッパ３２１Ａは、現像器３１４に補給すべき黒色のトナーを収納している。現像器３１４Ａ内の黒色のトナーの量が少なくなると、トナーポッパ３２１Ａから図示しない補給経路を経由して黒色のトナーが現像器３１４Ａ内に補給される。
【００５１】
プロセスステーション３３０Ａ〜３３０Ｄは、現像器３１４Ａ〜３１４Ｄ及びトナーホッパ３２１Ａ〜３２１Ｄに互いに異なる色相のトナーを収納している点を除いて、同一の構成にされている。プロセスステーション３３０Ｂ〜３３０Ｄにおいてもプロセスステーション３３０Ａと同様にしてシアン、マゼンタ、イエローのトナー像が、中間転写ベルト３１７の表面に転写される。プロセスステーション３３０Ａ〜３３０Ｄを通過する間に中間転写ベルト３１７の表面には、イエロー、マゼンタ、シアン及び黒色のトナー像が順に重ね合わせて転写され、フルカラーのトナー像が形成される。
【００５２】
モノクロプロセス部４００は、スキャナ部２００で読み取られた原稿の画像データ又は外部から入力された画像データに基づいて、モノクロ画像を形成する。モノクロプロセス部４００は、感光体ドラム４１１、帯電器４１２、露光ユニット４１３、現像器４１４、クリーナ４１６及びトナーホッパ４１７を備えている。
【００５３】
感光体ドラム４１１は、周面に感光層を備え、図１中で時計方向に回転する。帯電器４１２は、感光体ドラム４１１の周面を均一に帯電する。露光ユニット４１３は、画像データに基づいて変調されたレーザ光により、感光体ドラム４１１の周面を露光する。帯電器４１２による帯電を受けた感光体ドラム４１１の周面は、画像データに応じたレーザ光によって感光体ドラム４１１の軸方向に平行な主走査方向に露光される。レーザ光の露光により、感光体ドラム４１１の周面には、画像データを応じた静電潜像が形成される。
【００５４】
現像器４１４は、静電潜像が形成された感光体ドラム４１１の周面に黒色のトナーを供給する。感光体ドラム４１１の周面の静電潜像は、黒色のトナーによってトナー像に現像される。
【００５５】
転写器４１５は、感光体ドラム４１１の周面に担持された黒色のトナー像を、感光体ドラム４１１との間を通過する用紙の表面に転写する。クリーナ４１６は、用紙に対向した後の感光体ドラム４１１の周面に残留しているトナーを感光体ドラム４１１の周面から除去する。
【００５６】
トナーホッパ４１７は、現像器４１４に補給すべき黒色のトナーを収納している。現像器４１４内の黒色のトナーの量が少なくなると、トナーポッパ４１７から図示しない補給経路を経由して黒色のトナーが現像器４１４内に補給される。
【００５７】
転写部５００は、カラープロセス部３００とモノクロプロセス部４００との間に配置されている。転写部５００は、上述の転写器４１５に加えて、転写器５０１及び搬送ベルト５０２、駆動ローラ５０３、従動ローラ５０４を備えている。転写器４１５及び転写器５０１は、柱状体の転写ローラであり、図１中時計方向及び反時計方向に回転自在にされている。転写器４１５及び転写器５０１は例えば金属製、若しくは導電性樹脂、又はその組み合わせから構成され、板状であっても、ローラであってもよい。搬送手段は、搬送ベルト５０２と、複数のローラとして駆動ローラ５０３および従動ローラ５０４を含む。搬送ベルト５０２は、転写器４１５、転写器５０１、駆動ローラ５０３、従動ローラ５０４に架橋された無端ベルトである。無端ベルトは所定の抵抗値を有し、例えば１．０×１０８〜１０１３Ω・ｃｍに設定されている。
【００５８】
駆動ローラ５０３は、駆動源（図示せず。）に接続されており、図１中時計方向及び反時計方向に駆動される。一例として駆動源にはＤＣブラシレスモータやステッピングモータが使われる。カラープロセス部３００が用いられるカラー画像形成時には、駆動ローラ５０３は図１中時計方向に駆動される。モノクロプロセス部４００が用いられるモノクロ画像形成時には、駆動ローラ５０３は図１中反時計方向に駆動される。転写器４１５は、搬送ベルト５０２を挟んで感光体ドラム４１１の周面に圧接している。転写器５０１は、搬送ベルト５０２を挟んで中間転写ベルト３１７に圧接している。
【００５９】
転写器５０１と中間転写ベルト３１７に挟まれた搬送ベルト５０２の一部が第１対向部５１２であり、第１対向部５１２の中間転写ベルト３１７に対向するオモテ面側領域が第１対向部５１２の対向面である。転写器５０１は、第１対向部５１２の対向面のベルト背面側に位置する。転写器４１５と感光体ドラム４１１に挟まれた搬送ベルト５０２の一部が第２対向部５１３であり、第２対向部５１３の感光体ドラム４１１に対向する表面側領域が第２対向部５１３の対向面である。転写器４１５は、第２対向部５１３の対向面のベルト背面側に位置する。
【００６０】
このように構成したことで、２つのプロセス部で搬送経路中の転写部を共通化することができ、その結果、転写機構のコンパクト化、搬送路を簡略化して部品点数削減、操作性向上が図れる。
【００６１】
給紙部７００には、一例として、給紙カセット７０１Ａ〜７０１Ｄが装着されている。給紙カセット７０１Ａ〜７０１Ｄのそれぞれは、単一サイズの所定枚数の用紙を収納している。給紙カセット７０１Ａ〜７０１Ｄのそれぞれには、ピックアップローラ７１１、給紙ローラ７１２及び分離ローラ７１３が備えられる。ピックアップローラ７１１、給紙ローラ７１２及び分離ローラ７１３により、給紙カセット７０１Ａ〜７０１Ｄの何れかから１枚ずつ用紙が第１主搬送路１１００又は第２主搬送路１２００に給紙される。
【００６２】
カラー画像形成時には、転写器５０１が、第１主搬送路１１００途中に設けられた第１対向部５１２を通過する用紙に中間転写ベルト３１７上のフルカラーのトナー像を転写する。モノクロ画像形成時には、転写器４１５が、第２主搬送路１２００途中に設けられた第２対向部５１３を通過する用紙に感光体ドラム４１１の周面のモノクロトナー像を転写する。
【００６３】
定着部６００は、一対の定着ローラ６０１，６０２を備えている。定着ローラ６０１，６０２は、互いに圧接している。定着ローラ６０１，６０２は、トナー像が転写された用紙を加熱及び加圧してトナー像を用紙の表面に定着させる。
【００６４】
定着部６００を通過した用紙は、分岐部１３００で分岐され、第１排紙搬送路１４００を通過して第１排紙部８００に排出されるか、又は、第２排紙搬送路１６００を通過して第２排紙部９００に排出される。カラー画像形成時に、第１排紙部８００には画像面を下向きにして用紙が排出（フェイスダウン排出）され、第２排紙部９００には画像面を上向きにして用紙が排出（フェイスアップ排出）される。モノクロ画像形成時に、第１排紙部８００には画像面を上向きにして用紙が排出（フェイスアップ排出）され、第２排紙部９００には画像面を下向きにして用紙が排出（フェイスダウン排出）される。
【００６５】
用紙の両面に画像を形成する両面画像形成時には、定着部６００を通過した片面画像形成済の用紙が第１排紙搬送路１４００でスイッチバックされた後、第２排紙搬送路１６００を通過して第２分岐部１５００で副搬送路１７００内に導かれる。
【００６６】
第２分岐部１５００に回動可能な排紙ゲート１５０１が設けられる。排紙ゲート１５０１の姿勢を切り換えて、第２排紙部９００または副搬送路１７００に向けて搬送方向を切り換える。
【００６７】
図２は、この発明の実施形態に係る定着装置である定着部６００の正面断面図である。上述のように、定着部６００は、この発明の第１及び第２の部材としての定着ローラ６０１，６０２を備えている。定着部６００は、さらに、メインヒータ６０３Ａ，６０３Ｂ、サブヒータ６０４Ａ，６０４Ｂ、外部加熱ローラ６０５Ａ，６０５Ｂ、サーミスタ６０６Ａ，６０６Ｂ、剥離爪６０７Ａ，６０７Ｂ、クリーニングユニット６０８，６０９、ガイド６１０を備えている。
【００６８】
定着ローラ６０１及び定着ローラ６０２は、この発明の第１及び第２のローラであり、円筒形状を呈している。メインヒータ６０３Ａ及びサブヒータ６０４Ａは、定着ローラ６０１の内部に収納されており、定着ローラ６０１を内側から昇温する。メインヒータ６０３Ｂ及びサブヒータ６０４Ｂは、定着ローラ６０２の内部に収納されており、定着ローラ６０１を内側から昇温する。外部加熱ヒータ６０５Ａ，６０５Ｂは、円筒形の外部部材内にヒータを収納している。外部加熱ヒータ６０５Ａは、定着ローラ６０１の周面の一部に当接し、定着ローラ６０１の周面を昇温する。外部加熱ヒータ６０５Ｂは、定着ローラ６０２の周面の一部に当接し、定着ローラ６０２の周面を昇温する。メインヒータ６０３Ａ及びサブヒータ６０４Ａはこの発明の第１のヒータであり、メインヒータ６０３Ｂ及びサブヒータ６０４Ｂは同じく第２のヒータである。
【００６９】
サーミスタ６０６Ａ及びサーミスタ６０６Ｂは、それぞれ定着ローラ６０１及び定着ローラ６０２の温度を検出し、検出信号を出力する。剥離爪６０７Ａ及び剥離爪６０７Ｂは、それぞれ定着ローラ６０１及び定着ローラ６０２の周面から用紙を剥離する。
【００７０】
クリーニングユニット６０８及びクリーニングユニット６０９は、この発明の第１及び第２のクリーニング部材である。クリーニングユニット６０８は、供給ローラ６０８Ａ、巻取ローラ６０８Ｂ、押圧ローラ６０８Ｃ、テンションローラ６０８Ｄ、テンションローラ６０８Ｅ、ウェブシート６０８Ｆを備えている。供給ローラ６０８Ａは、未使用のウェブシート６０８Ｆを巻回して収納している。巻取ローラ６０８Ｂは、使用済のウェブシート６０８Ｆを巻回して巻き取る。押圧ローラ６０８Ｃは、定着ローラ６０１の周面の一部に圧接している。
【００７１】
ウェブシート６０８Ｆは、供給ローラ６０８Ａからテンションローラ６０８Ｄ、押圧ローラ６０８Ｃ、テンションローラ６０８Ｅを順に経由して巻取ローラ６０８Ｂに巻き取られる。テンションローラ６０８Ｄ及びテンションローラ６０８Ｅは、ウェブシート６０８Ｆに張力を与える。ウェブシート６０８Ｆは、押圧ローラ６０８Ｃと定着ローラ６０１との間を通過する際に、定着ローラ６０１の周面に付着したトナーや紙粉等の塵埃を拭き取る。
【００７２】
クリーニングユニット６０９は、供給ローラ６０９Ａ、巻取ローラ６０９Ｂ、押圧ローラ６０９Ｃ、テンションローラ６０９Ｄ、テンションローラ６０９Ｅ、ウェブシート６０９Ｆを備えている。供給ローラ６０９Ａは、未使用のウェブシート６０９Ｆを巻回して収納している。巻取ローラ６０９Ｂは、使用済のウェブシート６０９Ｆを巻回して巻き取る。押圧ローラ６０９Ｃは、定着ローラ６０２の周面の一部に圧接している。
【００７３】
ウェブシート６０９Ｆは、供給ローラ６０９Ａからテンションローラ６０９Ｄ、押圧ローラ６０９Ｃ、テンションローラ６０９Ｅを順に経由して巻取ローラ６０９Ｂに巻き取られる。テンションローラ６０９Ｄ及びテンションローラ６０９Ｅは、ウェブシート６０９Ｆに張力を与える。ウェブシート６０９Ｆは、押圧ローラ６０９Ｃと定着ローラ６０２との間を通過する際に、定着ローラ６０２の周面に付着したトナーや紙粉等の塵埃を拭き取る。
【００７４】
クリーニングユニット６０８に含まれる各部品とクリーニングユニット６０９に含まれる各部品とは同一であり、クリーニングユニット６０８とクリーニングユニット６０９とは、用紙の搬送経路を挟んで対称に構成されている。定着部６００に準備すべき部品点数が削減されて構成が簡略化され、コストダウンを図ることができる。
【００７５】
ウェブシート６０８Ｆ及び６０９Ｆが定着ローラ６０１及び６０２の周面から塵埃を拭き取ることにより、定着ローラ６０１と定着ローラ６０２との間を通過する用紙の汚損が防止される。ウェブシート６０８Ｆ及び６０９Ｆのうち、少なくともウェブシート６０８Ｆには、シリコンオイル等の離形剤が含浸されている。ウェブシート６０８Ｆは定着ローラ６０１の周面に離形剤を塗布する。したがって、クリーニングユニット６０８は、この発明の塗布部材としても機能する。
【００７６】
用紙が定着ローラ６０１と定着ローラ６０２との間を通過する間に、定着ローラ６０１の周面には、カラープロセス部３００で用紙に転写された複数のトナー層からなるカラー画像が圧接する。定着ローラ６０１の周面に定着ローラ６０１の周面に離形剤を塗布することにより、カラー画像を構成するトナーが、用紙が定着ローラ６０１と定着ローラ６０２との間を通過する間に、定着ローラ６０１の周面に付着することを防止できる。
【００７７】
なお、ウェブシート６０９Ｆにも離形剤を含浸させ、モノクロプロセス部４００で用紙に転写されたトナーが定着ローラ６０２の周面に付着することを防止するようにしてもよい。
【００７８】
ガイド６１０は、転写部５００と定着部６００との間に配置されている。ガイド部材６１０は、略平板状を呈しており、用紙搬送方向（矢印Ｙ方向）に直交する方向の軸６１１で揺動自在にされている。ガイド部材６１０は、図２中反時計方向又は時計方向に揺動することにより、転写部５００を通過した用紙の搬送方向を定着ローラ６０１側又は定着ローラ６０２側に偏向する。
【００７９】
図３は、画像形成装置１００の定着部６００の側面断面図である。定着ローラ６０１及び定着ローラ６０２は、用紙搬送方向に直交する方向に平行なＸ軸に沿う長さを、画像形成装置１００内を搬送される用紙のうち、最大のサイズの（例えば、Ａ３サイズ）の短辺よりも長くされている。メインヒータ６０３Ａ，６０３ＢはＸ軸に沿う範囲の中央部に加熱部が配置されており、サブヒータ６０４Ａ，６０４ＢはＸ軸に沿う範囲の両端部に加熱部が配置されている。メインヒータ６０３Ａ，６０３Ｂの加熱部が配置されている範囲は、画像形成装置１００内を搬送される用紙のうち、小サイズ（例えば、Ａ４サイズ）の用紙の短辺の長さに略等しくされている。
【００８０】
外部加熱ヒータ３０５Ａ，３０５ＢのＸ軸に沿う長さは、定着ローラ６０１，６０２の長さに略等しくされている。
【００８１】
小サイズの用紙に対する画像形成時には、メインヒータ６０３Ａ又は６０３Ｂのみを駆動することで、消費電力を低減することができる。
【００８２】
定着ローラ６０１の両端部には、スプリング６５１Ａ，６５２Ａが備えられている。スプリング６５１Ａ，６５２Ａの弾性力により、定着ローラ６０１は定着ローラ６０２側に付勢されている。定着ローラ６０２の両端部には、スプリング６５１Ｂ，６５２Ｂが備えられている。スプリング６５１Ｂ，６５２Ｂの弾性力により、定着ローラ６０２は定着ローラ６０１側に付勢されている。この構成により、定着ローラ６０１と定着ローラ６０２とは、それぞれの周面の一部分で圧接する。
【００８３】
定着ローラ６０１と定着ローラ６０２とは、同一の素材により同一の形状に成形されている。したがって、両者の表面硬度は同一であり、両者のニップ部は、略平面で構成される。用紙は、定着ローラ６０１と定着ローラ６０２との平面状のニップ部を通過して加熱及び加圧を受ける。カラー画像形成時とモノクロ画像形成時とで、定着ローラ６０１と定着ローラ６０２との間での用紙の通過状態が変化することがなく、常に安定して用紙を搬送でき、用紙上での画像形成状態を良好に維持することができる。
【００８４】
なお、Ｘ方向の全域で定着ローラ６０１と定着ローラ６０２とのニップ部が略一定幅の平面で構成されることを条件に、スプリング６５１Ａ，６５２Ａ又はスプリング６５１Ｂ，６５２Ｂの何れかを省略することができる。
【００８５】
図４は、画像形成装置１００の制御部１１０の構成を示すブロック図である。制御部１１０は、ＲＯＭ１１２及びＲＡＭ１１３を備えたＣＰＵ１１１に、スキャナ部用ドライバ１１４、カラープロセス部用ドライバ１１５、モノクロプロセス部用ドライバ１１６、転写部用ドライバ１１７、給紙部用ドライバ１１８、第１排紙部用ドライバ１１９、第２排紙部用ドライバ１２０とともに、第１ヒータドライバ１２１、第２ヒータドライバ１２２、第１モータドライバ１２３、第２モータドライバ１２４、ソレノイドドライバ１２５、サーミスタ６０６Ａ，６０６Ｂ等を接続して構成されている。
【００８６】
ＣＰＵ１１１は、ＲＯＭ１１２に格納されているプログラムに従って、ドライバ等を統括して制御する。この間に入出力されるデータが、ＲＡＭ１１３に書き込まれる。スキャナ部用ドライバ１１４は、ＣＰＵ１１１から出力される駆動データに基づいて、スキャナ部２００に含まれるモータ等の機器を駆動する。カラープロセス部用ドライバ１１５は、ＣＰＵ１１１から出力される駆動データに基づいて、カラープロセス部３００に含まれるモータやクラッチ等の機器を駆動する。モノクロプロセス部用ドライバ１１６は、ＣＰＵ１１１から出力される駆動データに基づいて、モノクロプロセス部４００に含まれるモータやクラッチ等の機器を駆動する。
【００８７】
転写部用ドライバ１１７は、ＣＰＵ１１１から出力される駆動データに基づいて、転写部５００に含まれるモータ等の機器を駆動する。給紙部用ドライバ１１８は、ＣＰＵ１１１から出力される駆動データに基づいて、給紙部７００に含まれるモータやクラッチ等の機器を駆動する。第１排紙部用ドライバ１１９は、ＣＰＵ１１１から出力される駆動データに基づいて、第１排紙部８００に含まれるモータ等の機器を駆動する。第２排紙部用ドライバ１２０ＣＰＵ１１１は、ＣＰＵ１１１から出力される駆動データに基づいて、第２排紙部９００に含まれるモータ等の機器を駆動する。
【００８８】
ＣＰＵ１１１には、サーミスタ６０６Ａ，６０６Ｂの検出信号が入力される。ＣＰＵ１１１は、サーミスタ６０６Ａ，６０６Ｂの検出信号に基づいて、第１ヒータドライバ１２１、第２ヒータドライバ１２２に駆動データを出力する。
【００８９】
第１ヒータドライバ１２１には、メインヒータ６０３Ａ、サブヒータ６０４Ａ、外部加熱ヒータ６０５Ａが接続されている。第１ヒータドライバ１２１は、ＣＰＵ１１１から出力された駆動データに基づいて，メインヒータ６０３Ａ、サブヒータ６０４Ａ、外部加熱ヒータ６０５Ａを駆動する。第２ヒータドライバ１２２には、メインヒータ６０３Ｂ、サブヒータ６０４Ｂ、外部加熱ヒータ６０５Ｂが接続されている。第２ヒータドライバ１２２は、ＣＰＵ１１１から出力された駆動データに基づいて，メインヒータ６０３Ｂ、サブヒータ６０４Ｂ、外部加熱ヒータ６０５Ｂを駆動する。
【００９０】
第１モータドライバ１２３には、定着ローラ６０１に回転を供給するモータ６２１が接続されている。第１モータドライバ１２３は、ＣＰＵ１１１から出力される駆動データに基づいて、モータ６２１を駆動する。第２モータドライバ１２４には、定着ローラ６０２に回転を供給するモータ６２２が接続されている。第２モータドライバ１２４は、ＣＰＵ１１１から出力される駆動データに基づいて、モータ６２２を駆動する。
【００９１】
ソレノイドドライバ１２５には、ガイド６１０を揺動させるソレノイド６２３が接続されている。ソレノイドドライバ１２５は、ＣＰＵ１１１から出力される駆動データに基づいてソレノイド６２３を駆動する。
【００９２】
制御部１１０は、この発明の切換手段を兼ねている。ＣＰＵ１１１は、カラープロセス部３００によってカラー画像を形成する場合には、第１ヒータドライバ１２１、第１モータドライバ１２３、ソレノイドドライバ１２５に駆動データを出力する。ＣＰＵ１１１は、モノクロプロセス部４００によってモノクロ画像を形成する場合には、第２ヒータドライバ１２２、第２モータドライバ１２４に駆動データを出力する。
【００９３】
なお、定着部６００に単一のモータと、択一的に接続及び切断される定着ローラ６０１側及び定着ローラ６０２側の２つのクラッチと、を備えてもよい。この場合には、カラー画像形成時とモノクロ画像形成時とで、２つのクラッチの接続及び切断状態を切り換える。
【００９４】
ガイド６１０は、図示しないスプリングにより、用紙搬送方向の下流側の端部が定着ローラ６０２側に向くように付勢されている。ＣＰＵ１１１は、カラー画像を形成する場合には、ソレノイドドライバ１２５にソレノイド６２３を駆動する。ソレノイド６２３は、駆動時にガイド６１０を用紙搬送方向の下流側の端部が定着ローラ６０１側に向くように揺動させる。
【００９５】
メインヒータ６０３Ａ，６０３Ｂの消費電力は一例として７００Ｗであり、サブヒータ６０４Ａ，６０４Ｂの消費電力は一例として２００Ｗであり、外部加熱ヒータ６０５Ａ，６０５Ｂの消費電力は一例として３００Ｗである。
【００９６】
ＣＰＵ１１１は、カラー画像を形成する場合にはメインヒータ６０３Ａ、サブヒータ６０４Ａ及び外部加熱ヒーラ６０５Ａを駆動し、モノクロ画像を形成する場合にはメインヒータ６０３Ｂ、サブヒータ６０４Ｂ及び外部加熱ヒーラ６０５Ｂを駆動する。したがって、画像形成時に定着部６００の消費電力が、画像形成装置１００の定格電力を超えることはない。
【００９７】
ＣＰＵ１１１には、図示しない操作部の操作内容を表す操作データが入力される。また、ＣＰＵ１１１には、図示しないインタフェースを介して、外部装置から画像形成要求を含む画像データが入力される。
【００９８】
図５は、画像形成装置１００の制御部１１０の処理手順を示すフローチャートである。ＣＰＵ１１１は、操作部の操作による画像形成の指示、又は、外部装置から画像データとともに画像形成要求が入力されるのを待機している（Ｓ１）。この待機中に、ＣＰＵ１１１は、定着ローラ６０１，６０２の温度が予め設定された待機時温度ととなるように、外部加熱ヒータ６０５Ａ，６０５Ｂを駆動している（Ｓ２）。ＣＰＵ１１１は、画像形成要求が入力されると、形成すべき画像がカラー画像であるかモノクロ画像であるかの判別を行う（Ｓ３）。
【００９９】
形成すべき画像がカラー画像である場合には、ＣＰＵ１１１は、定着ローラ６０１の温度が所定の定着温度ととなるように、この発明の第１のヒータであるメインヒータ６０３Ａ、サブヒータ６０４Ａ及び外部加熱ヒータ６０５Ａを駆動する。このとき、ＣＰＵ１１１は、外部加熱ヒータ６０５Ｂの駆動を停止する（Ｓ４）。
【０１００】
ＣＰＵ１１１は、定着ローラ６０１の温度が所定の定着温度に達すると（Ｓ５）、モータ６２１を駆動して定着ローラ６０１を回転させるとともに（Ｓ６）、ソレノイド６２３を駆動してガイド６１０を揺動させ（Ｓ７）、カラープロセス部３００でのカラー画像形成を行う（Ｓ８）。定着ローラ６０１は、カラープロセス部３００におけるプロセス速度に適合した速度で回転する。
【０１０１】
形成すべき画像がモノクロ画像である場合には、ＣＰＵ１１１は、定着ローラ６０２の温度が所定の定着温度ととなるように、この発明の第２のヒータであるメインヒータ６０３Ｂ、サブヒータ６０４Ｂ及び外部加熱ヒータ６０５Ｂを駆動する。このとき、ＣＰＵ１１１は、外部加熱ヒータ６０５Ａの駆動を停止する（Ｓ９）。
【０１０２】
ＣＰＵ１１１は、定着ローラ６０２の温度が所定の定着温度に達すると（Ｓ１０）、モータ６２２を駆動して定着ローラ６０２を回転させ（Ｓ１１）、モノクロプロセス部４００でのモノクロ画像形成を行う（Ｓ１２）。このとき、ＣＰＵ１１１は、ソレノイドを駆動しない。定着ローラ６０２は、モノクロプロセス部４００におけるプロセス速度に適合した速度で回転する。
【０１０３】
ＣＰＵ１１１は、Ｓ４〜Ｓ８の処理、又は、Ｓ９〜Ｓ１２の処理の後、次に画像形成すべき画像データが存在するか否かの判別を行う（Ｓ１３）。ＣＰＵ１１１は、次に画像形成すべき画像データがなくなるまで、Ｓ４〜Ｓ８の処理、又は、Ｓ９〜Ｓ１２の処理を繰り返し実行する。ＣＰＵ１１１は、次に画像形成すべき画像データがなくなると、待機状態に戻る。
【０１０４】
カラープロセス部３００及びモノクロプロセス部４００の何れも画像形成を行っていない待機中に、外部加熱ヒータ６０５Ａ，６０５Ｂを駆動して定着ローラ６０１，６０２が待機温度に昇温される。カラープロセス部３００でカラー画像を形成する場合には、用紙のカラー画像の転写面に接触する定着ローラ６０１がメインヒータ６０３Ａ、サブヒータ６０４Ａ及び外部加熱ヒータ６０５Ａによって加熱される。用紙のカラー画像の転写面とは反対側の面は、待機温度に昇温されていた定着ローラ６０２に接触する。用紙に転写されたカラー画像が確実に溶融し、用紙に定着する。
【０１０５】
モノクロプロセス部４００でカラー画像を形成する場合には、用紙のモノクロ画像の転写面に接触する定着ローラ６０２がメインヒータ６０３Ｂ、サブヒータ６０４Ｂ及び外部加熱ヒータ６０５Ｂによって加熱される。用紙のカラー画像の転写面とは反対側の面は、待機温度に昇温されていた定着ローラ６０１に接触する。用紙に転写されたモノクロ画像が確実に溶融する。
【０１０６】
待機温度は定着温度よりも低い温度である。カラープロセス部３００で多数枚の用紙に連続して画像を形成する場合には、外部加熱ヒータ６０５Ｂも駆動して定着ローラ６０２を昇温させ、定着部６００を通過する用紙を充分に加熱するようにしてもよい。同様に、モノクロプロセス部４００で多数枚の用紙に連続して画像を形成する場合には、外部加熱ヒータ６０５Ａも駆動して定着ローラ６０１を昇温させ、定着部６００を通過する用紙を充分に加熱するようにしてもよい。
【０１０７】
図６は、カラー画像形成時の定着部６００の要部の状態を示す正面断面図である。カラープロセス部３００によるカラー画像形成時に、小サイズの用紙が搬送される際にはメインヒータ６０３Ａ及び外部加熱ヒータ６０５Ａが駆動され、大サイズの用紙が搬送される際にはメインヒータ６０３Ａ、サブヒータ６０４Ａ及び外部加熱ヒータ６０５Ａが駆動されて定着ローラ６０１が定着温度に昇温される。ガイド６１０は用紙の搬送方向を定着ローラ６０１側に偏向させ、用紙のカラー画像が転写された面が定着ローラ６０１に先に接触する。また、定着ローラ７０１がモータ６２１によって駆動され、定着ローラ７０２は定着ローラ７０１の回転に従動して回転する。
【０１０８】
用紙に転写されたカラー画像が、定着ローラ６０１と定着ローラ６０２との間に到達する前に、定着ローラ６０２よりも高温の定着ローラ６０１の表面に接触する。カラー画像は、予熱された状態で定着ローラ６０１と定着ローラ６０２との間に導かれる。また、定着ローラ６０１と定着ローラ６０２との間を通過した後の用紙が、定着ローラ６０１の表面から剥離し易くなる。
【０１０９】
図７は、モノクロ画像形成時の定着部６００の要部の状態を示す正面断面図である。モノクロプロセス部４００によるモノクロ画像形成時に、小サイズの用紙が搬送される際にはメインヒータ６０３Ｂ及び外部加熱ヒータ６０５Ｂが駆動され、大サイズの用紙が搬送される際にはメインヒータ６０３Ｂ、サブヒータ６０４Ｂ及び外部加熱ヒータ６０５Ｂが駆動されて定着ローラ６０２が定着温度に昇温される。ガイド６１０は用紙の搬送方向を定着ローラ６０２側に偏向させ、用紙のモノクロ画像が転写された面が定着ローラ６０２に先に接触する。また、定着ローラ７０２がモータ６２２によって駆動され、定着ローラ７０１は定着ローラ７０２の回転に従動して回転する。
【０１１０】
用紙に転写されたモノクロ画像が、定着ローラ６０１と定着ローラ６０２との間に到達する前に、定着ローラ６０１よりも高温の定着ローラ６０２の表面に接触する。モノクロ画像は、予熱された状態で定着ローラ６０１と定着ローラ６０２との間に導かれる。また、定着ローラ６０１と定着ローラ６０２との間を通過した後の用紙が、定着ローラ６０２の表面から剥離し易くなる。
【０１１１】
制御部１１０は、定着ローラ６０１及び定着ローラ６０２の間を通過する用紙の第１面又は第２面の何れに画像を定着させるかに応じて、定着ローラ６０１及び定着ローラ６０２のそれぞれが行う処理を加熱処理及び加圧処理の一方と他方とに切り換える。これにともなって、制御部１１０は、定着ローラ６０１又は定着ローラ６０２を択一的に駆動する。
【０１１２】
これによって、カラー画像形成時には、カラー画像に接触する定着ローラ６０１が主にカラー画像を加熱する加熱処理を行い、定着ローラ６０１に圧接する定着ローラ６０２が主にカラー画像を加圧する加圧処理を行う。モノクロ画像形成時には、モノクロ画像に接触する定着ローラ６０２が主にモノクロ画像を加熱する加熱処理を行い、定着ローラ６０２に圧接する定着ローラ６０１が主にモノクロ画像を加圧する加圧処理を行う。
【０１１３】
一対の定着ローラ６０１，６０２を備えた単一の定着部６００によって、カラープロセス部３００で形成されたカラー画像とモノクロプロセス部４００で形成されたモノクロ画像とを択一的に用紙に定着させることができる。
【０１１４】
またカラー画像形成時にはカラー画像が接触する定着ローラ６０１が駆動され、モノクロ画像形成時にはモノクロ画像が接触す定着ローラ６０２が駆動される。このため、用紙の搬送速度と画像が接触する側の定着ローラの周速との間に差異を生じることがなく、画像の滲みを防止することができる。
【図面の簡単な説明】
【０１１５】
【図１】この発明の実施形態に係る画像形成装置の構成を示す概略図である。
【図２】この発明の実施形態に係る定着装置である定着部の正面断面図である。
【図３】上記の定着部の側面断面図である。
【図４】上記画像形成装置の制御部のブロック図である。
【図５】上記制御部の処理手順を示すフローチャートである。
【図６】上記定着部のカラー画像形成時の状態を示す図である。
【図７】上記定着部のモノクロ画像形成時の状態を示す図である。
【符号の説明】
【０１１６】
１００  画像形成装置
１１０  制御部
２００  スキャナ部
３００  カラープロセス部（第１プロセス部）
４００  モノクロプロセス部（第２プロセス部）
５００  転写部
６００  定着部
６０１，６０２  定着ローラ
６０３Ａ，６０３Ｂ  メインヒータ
６０４Ａ，６０４Ｂ  サブヒータ
６０５Ａ，６０５Ｂ  外部加熱ヒータ
６０８，６０９  クリーニングユニット
６１０  ガイド
７００  給紙部
８００  第１排紙部
９００  第２排紙部
【図１】
0004680812.tif 000002
【図２】
0004680812.tif 000003
【図３】
0004680812.tif 000004
【図４】
0004680812.tif 000005
【図５】
0004680812.tif 000006
【図６】
0004680812.tif 000007
【図７】
0004680812.tif 000008